(57)【特許請求の範囲】
【請求項１】
第１の面および該第１の面と垂直に交差する第２の面とを有する本体部と、
キー押下面が前記第１の面に平行に設けられたキートップ部と、
前記キートップ部のキー押下面の裏面に固着されるとともに、固着箇所の両側に第１の端部および第２の端部を有するシート状のキーラバー部と、
前記第１の端部を挿通させる開口部を有し、前記第１の端部を前記第１の面と平行に前記第１の面との間で挟み込むとともに、前記第２の面を覆う筐体部と、
前記第２の端部を前記第２の面と平行に前記筐体部との間で挟み込む部材と、を備えていることを特徴とする携帯端末装置。
【請求項２】
前記筐体部から前記本体部に向けて突出するとともに、前記第１の端部を貫通する突出部を備えていることを特徴とする、請求項１に記載の携帯端末装置。
【発明の詳細な説明】
【技術分野】
【０００１】
本発明は携帯端末装置に関し、特に、実動キーを備えた携帯端末装置に関する。
【背景技術】
【０００２】
近年、液晶画面と本体とが一体化された携帯端末装置に対する需要が増大している。このような一体型の携帯端末装置には、通常、大型の液晶画面が搭載されており、液晶画面にはタッチセンサーが実装されている。しかしながら、使用頻度の高い入力を行う際に用いるキーとして、実動キーに対する需要は減っていないため、一体型の携帯端末の多くの機種において、実動キーが採用されている。
【０００３】
特許文献１に、実動キーを備えた携帯端末機器が記載されている。特許文献１に記載された携帯端末機器においては、キーの固定が同一平面状で行われ、キーを固定するためにキーラバーおよびラバーシートが用いられている。
【０００４】
特許文献２に、ユーザによるボタンの操作性、および、製造の容易性を向上させた取付構造が記載されている。
【先行技術文献】
【特許文献】
【０００５】
【特許文献１】特開２００６−０６０３３４号公報（図１）
【特許文献２】特開２００７−０９５５７７号公報（図２）
【発明の概要】
【発明が解決しようとする課題】
【０００６】
以下の分析は、本発明者によってなされたものである。
【０００７】
図８は、実動キーを備えた携帯端末装置の構造を概略的に示す図である。図８を参照すると、携帯端末装置は、メタルドーム１６１が設けられた基板１０６および土台部１０７から成る本体部と、本体部を収容するフロント筐体部１０２およびリア筐体部１０３と、キートップ部１１１、キーラバー部１１２および突起部１１３から成る実動キーと、を備えている。
【０００８】
図８において、寸法ａは、キーラバー部１１２を携帯端末装置に固定するために必要な寸法を示す。また、寸法ｂは、キートップ部１１１の側面から、携帯端末装置の端までの寸法を示す。また、寸法ｃは、メタルドーム１６１から基板１０６の端までの寸法を示す。
【０００９】
図８に示した携帯端末装置においては、寸法ｂを寸法ａよりも短くすることができない。このとき、携帯端末装置の端に実動キーを実装することができない。このことは、携帯端末装置のデザインの自由度を制約する。また、寸法ｃも寸法ａに応じて決定されることから、基板１０６の実装上の制約が生じる。さらに、ネジを用いてフロント筐体部１０２とリア筐体部１０３とを固定する場合には、ネジ止めを行う箇所は、キーラバー部１１２を避ける必要がある。
【００１０】
したがって、携帯端末装置に実動キーを実装する場合には、次のような問題が生じる。第１に、実動キーを実装するために大きな面積を必要とするという問題がある。図８に示すように、実動キーを駆動するための領域、および、キー自身が外へ飛び出さないように固定するための領域を携帯端末装置に設ける必要がある。このことは、携帯端末装置のデザインの決定に重大な影響を及ぼす。
【００１１】
第２に、防水および防塵対策を施す必要が生じる。タッチセンサー式のキーを採用した場合には、キー操作に伴って、埃や水滴が携帯端末装置の内部に侵入するおそれはない。一方、実動キーを搭載した場合には、携帯端末装置の使用時にキートップ部１１１が押されることにより、キートップ部１１１の稼動部から埃や水滴が侵入するおそれがある。したがって、携帯端末装置に実動キーを採用する場合には、埃や水滴の侵入を防ぐ構造を採用する必要がある。例えば、図８に示したように、キーラバー部１１２を用いて、キートップ部１１１と筐体の固定部とをつなぐとともに、稼動可能とし、周囲を覆うようにする必要がある。
【００１２】
第３に、組み立て性が悪いという問題がある。図９は、実動キーを備えた携帯端末装置の組み立ての手順を一例として示す図である。図９を参照すると、携帯端末装置を組み立てる場合には、キーラバー部１１２の一部をフロント筐体部１０２に対してＸ方向に嵌め込んだ後、リア筐体部１０３とフロント筐体部１０２とを嵌合する。この際、キーラバー部１１２を十分に仮止めできないことが多く、組み立て性に問題がある。また、リア筐体部１０３とフロント筐体部１０２とを嵌合する際、キーラバー部１１２を噛み込むおそれもある。
【００１３】
特許文献１に記載されたキーボタン構造においても、キーの固定は、キートップおよびラバーシートを用いて同一平面に対して行われており、厚みおよび幅方向の寸法が長大となる。
【００１４】
そこで、携帯端末装置の筐体の端部に実動キーを設けることができるようにするとともに、携帯端末装置の組み立て性を向上させることが課題となる。本発明の目的は、かかる課題を解決する携帯端末装置を提供することにある。
【課題を解決するための手段】
【００１５】
本発明の第１の視点に係る携帯端末装置は、
第１の面および該第１の面と垂直に交差する第２の面とを有する本体部と、
キー押下面が前記第１の面に平行に設けられたキートップ部と、
前記キートップ部のキー押下面の裏面に固着されるとともに、固着箇所の両側に第１の端部および第２の端部を有するシート状のキーラバー部と、
前記第１の端部を挿通させる開口部を有し、前記第１の端部を前記第１の面と平行に前記第１の面との間で挟み込むとともに、前記第２の面を覆う筐体部と、
前記第２の端部を前記第２の面と平行に前記筐体部との間で挟み込む部材と、を備えている。
【発明の効果】
【００１６】
本発明に係る携帯端末装置によると、携帯端末装置の筐体の端部に実動キーを設けることができるようにするとともに、携帯端末装置の組み立て性を向上させることができる。
【図面の簡単な説明】
【００１７】
【図１】実施形態に係る携帯端末装置の実動キー周辺の外観を示す図である。
【図２】実施形態に係る携帯端末装置に実動キーを取り付ける様子を示す図である。
【図３】実施形態に係る携帯端末装置に設けられた実動キーの外観を示す図である。
【図４】実施形態に係る携帯端末装置の構成を概略的に示す図である。
【図５】実施形態に係る携帯端末において、実動キーをフロント筐体部に組み込んだ状態を示す図である。
【図６】実施形態に係る携帯端末装置を組み立てる手順を説明するための図である。
【図７】実施形態に係る携帯端末装置によってもたらされる効果の１つについて説明するための図である。
【図８】実動キーを備えた携帯端末装置の構成を概略的に示す図である。
【図９】実動キーを備えた携帯端末装置の組み立ての手順を示す図である。
【発明を実施するための形態】
【００１８】
はじめに、本発明の概要について説明する。なお、この概要に付記する図面参照符号は、専ら理解を助けるための例示であり、本発明を図示の態様に限定することを意図するものではない。
【００１９】
図４を参照すると、携帯端末装置は、第１の面および第１の面（図４における上面）と垂直に交差する第２の面とを有する本体部（土台部７および基板６）と、キー押下面が第１の面に平行に設けられたキートップ部（１１）と、キートップ部（１１）のキー押下面の裏面に固着されるとともに、固着箇所の両側に第１の端部および第２の端部を有するシート状のキーラバー部（１２）と、第１の端部を挿通させる開口部を有し、第１の端部を第１の面と平行に第１の面との間で挟み込むとともに、第２の面を覆う筐体部（フロント筐体部２）と、第２の端部を第２の面と平行に筐体部（２）との間で挟み込む部材（ボトム部材５）と、を備えている。
【００２０】
また、携帯端末装置は、筐体部（フロント筐体部２）から本体部（６，７）に向けて突出するとともに、第１の端部を貫通する突出部（２１）を備えていることが好ましい。
【００２１】
本発明に係る携帯端末装置によると、携帯端末装置の筐体の端部に実動キーを設けることができるようにすると同時に、携帯端末装置の組み立て性を向上させることができる。
【００２２】
本発明によると、実動キー１の固定部および固定面を携帯端末装置上に複数設けることで、実動キー１を固定することで生じる厚みを、幅方向および高さ方向に分散させることができる。これにより、メタルドーム６１から装置外形までの寸法、および、キートップ部１１から装置端までの寸法を削減することができ、実装上の制約を取り払うことができる。
【００２３】
また、本発明では、実動キー１をフロント筐体部２に固定する際に、キーラバー部１２の端部Ｂ１２３，Ｃ１２４およびＤ１２５をフロント筐体部２の外側で固定する。これにより、フロント筐体部２とリア筐体部３とをねじで固定する場合に、ネジ固定部２２を回避するようにして実動キー１を設ける必要がなくなる。
【００２４】
（実施形態）
実施形態に係る携帯端末装置について、図面を参照して説明する。図１は、ディスプレイと本体を一体にした一体型の携帯端末装置の実動キー周辺の外観を示す。図１を参照すると、携帯端末装置は、実動キー１、フロント筐体部２、リア筐体部３、サイド部材４およびボトム部材５を備えている。
【００２５】
ここでは、実動キー１を下にして携帯端末装置を保持したときに、ボトム部材５は携帯端末装置の下端に位置することから、部材５をボトム部材と呼ぶ。しかし、本発明は、図１に示した形態の携帯端末装置に限定されない。例えば、実動キー１を携帯端末装置の上端の近傍に設ける場合には、ボトム部材５に相当する部材は携帯端末装置の上端に位置する。
【００２６】
図２は、携帯端末装置に実動キー１を取り付ける様子を示す図である。図２を参照すると、実動キー１は、キートップ部１１およびキーラバー部１２を有し、キーラバー部１２には、キーラバー孔部１２１が設けられている。また、フロント筐体２は、キーラバー部１２を挿通するための開口部を有する。
【００２７】
図３は、本実施形態に係る携帯端末装置に設けられた実動キー１の外観を示す。図３を参照すると、実動キー１のキーラバー部１２は、端部Ａ１２２、端部Ｂ１２３、端部Ｃ１２４、および、端部Ｄ１２５を有する。本実施形態においては、実動キー１を筐体部に固定する面を、図８のように１つとする代わりに、複数とし、複数の部品で固定する。また、本実施形態では、実動キー１を、フロント筐体部２の内側および外側の両側に対して固定する。
【００２８】
図４は、本実施携帯に係る携帯端末装置の構成を概略的に示す図である。携帯端末装置は、実動キーを備えている。図４を参照すると、携帯端末装置は、基板６および土台部７から成る本体部と、本体部を収容するフロント筐体部２およびリア筐体部３と、キートップ部１１、キーラバー部１２および突起部１３から成る実動キーと、ボトム部材５と、を備えている。また、基板６には、メタルドーム６１が設けられている。さらに、フロント筐体部２には、突出部２１が設けられている。
【００２９】
図４を参照すると、キーラバー部１２の一端（端部Ａ１２２）は、フロント筐体部２および基板６との間に挟みこまれるとともに、フロント筐体部２に設けられた突出部２１によって貫通され、位置が固定される。また、キーラバー部１２の他端（端部Ｄ１２５）は、フロント筐体部２とボトム部材５とによって挟み込んで固定される。ボトム部材５は、キーラバー部１２の端部Ｄ１２５を挟みこみつつ、フロント筐体部２と嵌合する。
【００３０】
図２、図５および図６を参照して、図４に示した携帯端末装置の組み立ての手順を説明する。図２を参照すると、まず、実動キー１をフロント筐体部２に組み込む。このとき、表側からキーラバー部１２の一部を裏側へ潜り込ませ、残りを表側に配置する。
【００３１】
図５は、実動キー１がフロント筐体部２に組み込まれた状態を示す。この状態において、キーラバー孔部１２１と突出部２１によってキーラバー部１２の取り付け位置が決められる。また、キーラバー孔部１２１と突出部２１とを十分に嵌合させることで、位置決めおよび固定が行われる。
【００３２】
図６は、携帯端末装置を組み立てる手順について説明するための図である。図６を参照すると、基板６および土台部７が、フロント筐体部２に組み込まれる。この時点で、キーラバー部１２の端部Ａ１２２とフロント筐体部２とが完全に固定される。
【００３３】
次に、リア筐体部３、サイド部材４、および、ボトム部材５を、順に組み込む。サイド部材４を組み込むことにより、キーラバー部１２の端部Ｂ１２３および端部Ｃ１２４を、フロント筐体部２とサイド部材４とによって挟み込んで完全に固定する。さらに、ボトム部材５を組み込むことにより、キーラバー部１２の端部Ｄ１２５をフロント筐体部２とボトム部材５とによって挟み込んで完全に固定する。
【００３４】
本実施形態の携帯端末装置によると、図４に示すように、実動キー１の固定部および固定面を複数設けることで、キートップ部１１から装置外形までの寸法ｂを、図８に示した場合と比較して削減することができる。したがって、本実施形態の携帯端末装置によると、実動キー１を設けることによって生じるデザイン上の制約を解消することができる。
【００３５】
また、図４に示すように、実動キー１の固定部と固定面を複数設けることで、メタルドーム６１から装置外形までの寸法ｃも、図８に示した場合と比較して削減することができる。したがって、本実施形態の携帯端末装置によると、基板実装における制約も緩めることもできる。
【００３６】
さらに、本実施形態では、実動キー１をフロント筐体部２に固定する際に、キーラバー部１２の端部Ｂ１２３，Ｃ１２４，Ｄ１２５をフロント筐体部２の外側で固定する。このとき、図７に示すように、フロント筐体部２とリア筐体部３をねじで固定する場合、実動キー１をネジ固定部２２から回避させる必要がなくなる。
【００３７】
図８に示した構造を備えた携帯端末装置では、キーラバー部１１２を挟み込んだり、または、接着剤もしくは両面テープで固定する必要がある。したがって、携帯端末装置のＺ方向への厚みが増大する。また、図８に示した構造によると、固定面が１つであることから、固定による厚みへの影響が１つの面に対して発生する。一方、本実施形態の構造では、図４に示すように、キーラバー部１２の固定部を複数設けることにより、固定による厚みへの影響を、幅方向（Ｙ方向）および高さ方向（Ｚ方向）に分散することができる。
【００３８】
また、本実施形態では、図４に示すように、位置決め突出部２１を用いてキーラバー部１２の端部Ａ１２２とフロント筐体部２とをフロント筐体部２の内側で固定するとともに、キーラバー部１２の端部Ｂ１２３，Ｃ１２４およびＤ１２５がフロント筐体部２の外側に回りこむようにする。このとき、図８に示した携帯端末装置のように、キーラバー部１１２を筐体部で挟み込んだり、接着剤もしくは両面テープを用いて固定したりすることなく、キーラバー部１２の位置決めおよび固定が可能となる。したがって、本実施形態によると、携帯端末装置のサイズが増大することを防ぐことができる。
【００３９】
また、本実施形態によると、実動キー１を固定する際に、図９に示したように、フロント筐体部１０２とリア筐体部１０３を用いて、キーラバー部１１２を一部ずつ嵌め込む必要がなくなる。すなわち、本実施形態によると、すべての固定部を面で固定する形式とすることができ、組み立ての際に、キーラバー部１２を噛み込んだり、破損したりするおそれがなくなる。
【００４０】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００４１】
１    実動キー
２，１０２    フロント筐体部
３，１０３    リア筐体部
４    サイド部材
５    ボトム部材
６，１０６    基板
７，１０７    土台部
１１，１１１    キートップ部
１２，１１２    キーラバー部
１３，１１３    突起部
２１    突出部
２２    ネジ固定部
６１，１６１    メタルドーム
１２１    キーラバー孔部
１２２    端部Ａ
１２３    端部Ｂ
１２４    端部Ｃ
１２５    端部Ｄ
【図１】
0005622275.tif 000002
【図２】
0005622275.tif 000003
【図３】
0005622275.tif 000004
【図４】
0005622275.tif 000005
【図５】
0005622275.tif 000006
【図６】
0005622275.tif 000007
【図７】
0005622275.tif 000008
【図８】
0005622275.tif 000009
【図９】
0005622275.tif 000010